(57)【要約】【課題】短時間で且つあまり人手を要することなく、狭い現場でも適用可能な足場資材昇降用担架を提供する。【解決手段】長寸物を含む足場資材を昇降させるために保持するものであって、  方形の床部材５、同床部材５の四隅に各々立てられた縦枠６、縦枠６の上端を連結する横枠７、及び一対の壁部材８、９を有し、対向する両側面の下半部が壁部材８、９によって覆われているボックス２と、ボックス２の前面及び後面を前記長寸物が立ち姿勢で通過するのを各々遮断可能に取り付けられた一対の遮断棹３ａ、３ａと、前記壁部材と直交する鉛直方向の面内で自由端が揺動可能に壁部材８に片持ちされ、且つ同自由端が壁部材９と掛かり合って水平姿勢をとることにより、前記長寸物の前後方向の移動を制限しうる仕切り棒４ａとを備えることを特徴とする。【選択図】図７
2018096160.tif 000002
【特許請求の範囲】
【請求項１】
長寸物を含む足場資材を昇降させるために保持するものであって、
方形の床部材、同床部材の四隅に各々立てられた縦枠、縦枠の上端を連結する横枠、及び一対の壁部材Ａ、Ｂを有し、対向する両側面の下半部が前記壁部材Ａ、Ｂによって覆われているボックスと、
前記ボックスの前面及び後面を前記長寸物が立ち姿勢で通過するのを各々遮断可能に取り付けられた一対の遮断棹と、
前記壁部材と直交する鉛直方向の面内で自由端が揺動可能に壁部材Ａに片持ちされ、且つ同自由端が壁部材Ｂと掛かり合って水平姿勢をとることにより、前記長寸物の前後方向の移動を制限しうる仕切り棒と
を備えることを特徴とする足場資材昇降用担架。
【請求項２】
前記遮断棹は、前記壁部材Ａ、Ｂと直交する鉛直方向の面内で自由端が揺動可能に前記縦枠の一つ又は前記壁部材の一つに片持ちされ、対向する縦枠又は壁部材に同自由端の前記揺動を制限しうるストッパーが設けられている、請求項１に記載の足場資材昇降用担架。
【請求項３】
更に、弾性伸縮可能なバンドを備え、同バンドの一端は壁部材Ａを挟む２本の縦枠の一つに固定され、他端は自由にされている、請求項１に記載の足場資材昇降用担架。
【請求項４】
更に保護板を備え、前記ボックスがその前面及び／又は後面を挟む隣り合う縦枠の下端付近内側に上下方向に延びるガイドを有し、前記保護板は、同ガイドにスライドすることにより着脱自在で、前面及び／又は後面の下端付近を覆うことのできるものである、請求項１に記載の足場資材昇降用担架。
【請求項５】
前記ボックスが５０ｃｍ以上５５ｃｍ未満の幅を有する、請求項１に記載の足場資材昇降用担架。
【発明の詳細な説明】
【技術分野】
【０００１】
この発明は、建築現場における仮設足場の支柱、手摺り、踏板、ブラケットなどの長短様々な資材を高所と地上との間で複数個同時に上げ下げするための昇降用担架に関する。
【背景技術】
【０００２】
建築現場の仮設足場は、建築物の高さに応じて鉛直方向に継ぎ足して立てられた支柱と、建築物に向かって前後の支柱間に跨がるように固定された桟と、同じく左右の支柱間に跨がるように固定された手すりと、桟に掛け渡された踏板と、必要により筋交いとからなる。桟及び手すりの両端には、それらの長さ方向に対して直交する方向に突き出した楔が設けられており、支柱にはそれらの楔に対応してポケットが設けられている。従って、楔をハンマーで叩きながらポケットに差し込むだけで支柱、桟及び手すりを組み立てることができる。
【０００３】
支柱等の資材を高所と地上との間で上げ下げするには、各階に配置された作業者によって１本ずつ手渡しで送ることが行われる。また、このような手渡しに代えて、先に設置した支柱にレールを固定し、多数の資材を入れた箱形の荷台を前記レールに滑らせながら昇降させる資材搬送リフトも提案されている（特許文献１）。
【先行技術文献】
【特許文献】
【０００４】
【特許文献１】特開２０１４−１５２４６７号公報
【発明の概要】
【発明が解決しようとする課題】
【０００５】
しかし、作業者による手渡しでは支柱を送るのに多くの時間と人件費がかかる。また、特許文献１に記載の資材搬送リフトでもレールの固定に時間を要するうえ、荷台を昇降させる大きな空間を確保する必要もあるので、狭い建築現場では適用できない。
それ故、この発明の課題は、短時間で且つあまり人手を要することなく、狭い現場でも適用可能な足場資材昇降用担架を提供することにある。
【課題を解決するための手段】
【０００６】
その課題を解決するために、この発明の足場資材昇降用担架は、
ブラケット、ジャッキ、ベース、ブラケットなどの長さが７０ｃｍに満たない短寸物だけでなく支柱、手摺り、踏板などの７０ｃｍ以上の長寸物をも含む様々な足場資材を昇降させるために保持するものであって、ボックスと、一対の遮断棹と、仕切り棒とを備える。
【０００７】
ボックスは、方形の床部材、同床部材の四隅に各々立てられた縦枠、縦枠の上端を連結する横枠、及び一対の壁部材Ａ、Ｂを有し、対向する両側面の下半部が前記壁部材Ａ、Ｂによって覆われている。縦枠及び横枠は、専用に加工された金属製であってもよいし、市販のスチールアングルからなっていてもよい。床部材及び壁部材は通常、縦枠や横枠よりも軽い材料、例えば合板、アルミ板からなる。このように当該ボックスは、前後面に壁部材を有さず、両側面も下半部のみが壁部材で覆われているので、全体に軽いものである。
【０００８】
遮断棹は、前記ボックスの前面及び後面を前記長寸物が立ち姿勢で通過するのを各々遮断可能に前後に一つずつ取り付けられている。遮断棹は、前記壁部材と直交する鉛直方向の面内で自由端が揺動可能に前記縦枠の一つ又は前記壁部材の一つに片持ちされるものであってもよいし、隣り合う縦枠に両持ちされて水平を維持しながら上下にスライドするものであってもよい。片持ち式の場合、好ましくは対向する縦枠又は壁部材に同自由端の前記揺動を制限しうるストッパーが設けられている。両持ち式の場合も遮断棹が必要により定位置で停止するように両側にストッパーが設けられているとよい。
【０００９】
仕切り棒は、前記壁部材と直交する鉛直方向の面内で自由端が揺動可能に壁部材Ａに片持ちされ、同自由端が壁部材Ｂと掛かり合って水平姿勢をとることにより、前記長寸物の前後方向の移動を制限しうる。仕切り棒は、複数本平行に配置されていてよい。通常、支柱や手すりの外径は、踏板などの他の長寸物の厚さよりも大きいので、仕切り棒と遮断棹との間隔、及び仕切り棒同士の間隔は、支柱や手すりの外径よりも少し大きめにするとよい。
【００１０】
この発明の足場資材昇降用担架（以下、単に「担架」ともいう。）を使用するときは、ウィンチのワイヤーの先端を縦枠の上端又は横枠に連結する。そして、奥の遮断棹を閉じ且つ全ての仕切り棒の自由端を壁部材Ａに付けた状態で支柱、踏板、手摺りなどの長寸物をボックスの床部材上のできるだけ奥の方で立てる。奥の列が一杯になったところで一番奥の仕切り棒の自由端を壁部材Ｂと掛からせて水平にする。続いて長寸物を奥から２番目の列に立て同列が一杯になったところで奥から２番目の仕切り棒の自由端を壁部材Ｂに掛からせて水平にする。こうして奥から順に詰めていき、列が一杯になったところで同列の仕切り棒を水平にする。床部材上が満杯になるか又は昇降させる資材が途切れた時点で手前の遮断棹を閉じる。
【００１１】
この発明の担架によれば、各列とも左右方向は資材で満たされ、前面及び後面は遮断棹で閉じられ、前後方向は列ごとに仕切り棒が介在しているので、昇降中に資材が倒れることはもちろん大きく傾くこともない。従って、昇降中、全体の重心が安定し、安全である。しかも、使用に際しては担架の床部材の面積に相当する平面積の空間があれば足りるので、狭い現場でも昇降させることができる。また、資材を担架から降ろすときは、前面の遮断棹を開けて前面から取り出してもよいし、後面の遮断棹を開けて後面から取り出してもよい。
【００１２】
この発明の担架において好ましい一つの構成は、弾性伸縮可能なバンドを備え、同バンドの一端が壁部材Ａを挟む２本の縦枠の一つに固定され、他端が自由にされているというものである。これにより使用しない仕切り棒の自由端を壁部材Ａに付け、仕切り棒を跨ぐようにバンドの自由端を延ばし、壁部材Ａを挟むもう一つの縦枠に括り付けたり引っかけたりして固定することで、昇降中に使用しない仕切り棒が振れるのを防ぐことができる。
【００１３】
この発明の担架において好ましいもう一つの構成では、更に保護板を備える。そして、前記ボックスがその前面及び／又は後面を挟む隣り合う縦枠の下端付近内側に上下方向に延びるガイドを有し、前記保護板は、同ガイドにスライドすることにより着脱自在で、前面及び／又は後面の下端付近を覆うことのできるものである。このように着脱自在の保護板を備えることで、ブラケット、ジャッキなどの短寸の資材や小物を昇降させたたい場合、保護板を前面及び／又は後面に取り付けることにより、短寸資材や小物が床部材から滑り落ちるのを防ぐことができる。
【００１４】
この発明の担架において好ましいもう一つの構成は、前記ボックスが５０ｃｍ以上５５ｃｍ未満、特に好ましくは５３ｃｍ以下の幅を有するものである。通常、踏板は５０ｃｍの幅を有することから、足場の外側に担架を昇降させる空間が無い所でも、踏板を一列外すことにより、その位置で担架を昇降させることができるからである。
【発明の効果】
【００１５】
以上のように、この発明によれば、レールを設置しなくても既製のウィンチがあって、且つ、平面視で床部材の面積に相当する作業空間があれば、少ない人数で複数の足場資材を同時に昇降させることができる。
【図面の簡単な説明】
【００１６】
【図１】実施形態の担架を前方から眺めた斜視図である。
【図２】同担架の下半部を別の角度の前方から眺めた斜視図である。
【図３】同担架の下半部を後方から眺めた斜視図である。
【図４】（ａ）は同担架の仕切り棒取り付け部拡大図、（ｂ）は（ａ）におけるＢＢ断面図である。
【図５】同担架のストッパー付近拡大斜視図である。
【図６】同担架に２本の長い支柱が載せられている状態の斜視図である。
【図７】同担架に２本の長い支柱と、１枚の踏み板と、２本の短い支柱が載せられている状態の斜視図である。
【発明を実施するための形態】
【００１７】
担架１は、仮設足場のブラケット、ジャッキ、ベース、ブラケットなどの短寸物、及び支柱、手摺り、踏み板などの長寸物を含む種々の足場資材を載せた状態でウィンチによって吊り上げ可能なもので、ボックス２と、２本の上遮断棹３ａと、２本の下遮断棹３ｂと、６本の上仕切り棒４ａと、６本の下仕切り棒４ｂと、２枚の保護板１５ａ、１５ｂとを備える。
【００１８】
ボックス２は、幅５３ｃｍ×奥行き５７ｃｍの方形の床部材５、床部材５の四隅に各々立てられた合計４本のＬ型アングル鋼からなる縦枠６、隣り合う縦枠６の上端を連結する合計４本のＬ型アングル鋼からなる横枠７、及び一対のアルミ製壁部材８、９からなる。ボックス２の高さは、外寸で２ｍ１０ｃｍである。床部材５の周縁と縦枠６と横枠７とは、一つの直方体の稜線上にあり、壁部材８、９は、同直方体における対向する両側面の下から八分の五程度を覆うようにそれぞれ隣り合う縦枠６に固定されている。横枠７には、隣り合う横枠７に跨がるように鋼製の吊り輪７ａが取り付けられ、それにウィンチのワイヤーから四方に分岐したワイヤーＷが連結されている。
【００１９】
壁部材８は、下端付近で前後の縦枠６から各々２ｃｍの間隔を開けて内向きに１ｃｍ突き出た２つのガイド８ａを有する。ガイド８ａは縦枠６と平行に延びており、１０ｃｍの長さを有する。壁部材９も対称位置に同形同大のガイドを有する。また、壁部材８の上端付近内面には、図２、図３及び図４に示すように、直方体形状の７個の軸受け８ｂが、前後方向に等間隔に取り付けられ、それらの軸受け８ｂを貫いて１本の軸８ｃが固着されている。更にまた、壁部材８の高さ方向中央付近の内面にも軸受け８ｂと同形同大の７個の軸受け８ｄが同様に取り付けられ、それらの軸受け８ｄを貫いて１本の軸（図示省略）が固着されている。
【００２０】
壁部材９は、軸受け８ｂ、８ｄと対向する高さの内面に前後方向に延びる木製の桟９ａ、９ｂを有する。桟９ａには隣り合う軸受け８ｂ間の中点と同じピッチで上面及び内面が開いた凹部９ｃが設けられている。桟９ｂにも同様に凹部９ｄが設けられている。また、桟９ａの両端面と上面との角が切り取られて縦枠６との間で同様の凹部を形成している。桟９ｂも同様である。従って、桟９ａ、９ｂは、縦枠６とともにそれぞれ全部で８つの凹部９ｃ、９ｄを有する。
【００２１】
ボックス２の両側面の上から八分の三と、上面全体と、前後面の大部分は、開放されている。このように当該ボックスは、前後面に壁部材を有さず、両側面も下半部が壁部材８、９で覆われているだけであって、しかも壁部材８、９がアルミ製であるので、全体に軽いものである。
【００２２】
上遮断棹３ａは、壁部材８の前端縁と上端縁とが交差する角付近で軸８ｃに緩み嵌合されることにより、それに片持ちされている。上遮断棹３ａの自由端は、使用しないときは軸８ｃの真下に垂らされている。そして、上遮断棹３ａは、使用するときは同自由端が対向する凹部９ｃに入れられて水平姿勢を保つことにより、床部材５に載せられた前記長寸物が立ち姿勢で前面を通過してボックス２外に出るのを遮断する。
【００２３】
壁部材９の前端縁に近い縦枠６には、図５に示すように凹部９ｃの上方にＬ字形のストッパー１１ａがＬ字の上端部を支点として揺動可能に取り付けられている。ストッパー１１ａのＬ字の縦棒部分は、垂下状態でＬ字の下端部すなわち自由端が凹部９ｃ開口面に達する程度の長さを有する。上遮断棹３ａを凹部９ｃに入れるときはストッパー１１ａの自由端を上げる。そして、上遮断棹３ａを凹部９ｃに入れた状態で同自由端を下げると、上遮断棹３ａが少し浮き上がってもストッパー１１ａに当たりＬ字の縦棒部分が鉛直方向に突っ張ることにより、上遮断棹３ａが凹部９ｃから出るのが阻止される。
【００２４】
下遮断棹３ｂは、壁部材８の後端縁と上端縁とが交差する角付近で上遮断棹３ａと同様に片持ちされて、床部材５に載せられた前記長寸物が後面を通過してボックス２外に出るのを遮断しうる。壁部材９の後端縁に近い縦枠６にもストッパー１１ａと同様にストッパー１１ｂが取り付けられて、下遮断棹３ｂが凹部から出るのが阻止される。
【００２５】
６本の上仕切り棒４ａは、それぞれ隣り合う軸受け８ｂ間の軸８ｃに緩み嵌合されることにより、片持ちされている。隣り合う軸受け８ｂの間隔は、上仕切り棒４ａの軸方向肉厚よりも十分に広く、上仕切り棒４ａは同間隔内を前後方向にスライド可能である。上仕切り棒４ａの自由端は、使用しないときは軸８ｃの真下に垂らされている。そして、上仕切り棒４ａは、使用するときは同自由端が対向する凹部９ｃ内に入れられて水平姿勢を保つことにより、床部材５に載せられた前記長寸物が前方向又は後方向に移動するのを制限する。
【００２６】
６本の下仕切り棒４ｂは、平面視で６本の上仕切り棒４ａとそれぞれ重なり、且つ壁部材８の二分の一の高さ位置に、上仕切り棒４ａと同様に軸（図示省略）に片持ちされている。下仕切り棒４ｂの自由端は、使用しないときは同軸の真下に垂らされている。そして、下仕切り棒４ｂは、使用するときは同自由端が壁部材９の凹部９ｄ内に入れられて水平姿勢を保つことにより、床部材５に載せられた前記短寸物が前方向又は後方向に移動するのを制限する。
【００２７】
壁部材８の前端縁に近接する縦枠６における長寸方向中間位置には１本のゴム製バンド１３ａの一端が括り付けられ、他端は自由にされているとともに、同自由端には鉤１３ｂが取り付けられている。使用しない上仕切り棒４ａがあるときは、それらの自由端を垂らして壁部材８に付け、上仕切り棒４ａを跨ぐようにバンド１３ａの自由端を延ばし、壁部材８の後端縁に近接する縦枠６に鉤１３ｂを引っかけることで、昇降中に使用しない上仕切り棒４ａが振れるのを防ぐことができる。
【００２８】
また、同じ縦枠６におけるバンド１３ａの括り付け位置から仕切り棒４ａの長さだけ下方にはもう１本のゴム製バンド１４ａの一端が括り付けられ、他端は自由にされているとともに、同自由端には鉤１４ｂが取り付けられている。バンド１４ａ及び鉤１４ｂは、使用しない下仕切り棒４ｂが振れるのを防ぐためにバンド１３ａ及び鉤１３ｂと同様に用いられる。
【００２９】
保護板１５ａは、高さ１５ｃｍ、幅５０ｃｍ、奥行き１ｃｍ５ｍｍの大きさを有する合板からなり、ガイドと縦枠６との間に上から下にスライドさせて取り付け、逆にスライドさせて外すことができる。保護板１５ｂも同様である。
【００３０】
担架１を用いて支柱、踏板、手摺りなどの長寸物を昇降させるときは、図６に示すように、奥の遮断棹３ａを閉じ且つ全ての仕切り棒４ａ、４ｂの自由端を垂らして壁部材８に付けた状態で長寸物を床部材５上のできるだけ奥の方で立てる。奥の列が一杯になったところで一番奥の上仕切り棒４ａの自由端を壁部材９の凹部に入れて水平を保つ。図６においては、図面が煩雑になるのを避けるため、支柱が２本だけ立てられている状態が描かれている。
【００３１】
続いて長寸物を奥から２番目の列に立て同列が一杯になったところで奥から２番目の上仕切り棒４ａの自由端を凹部９ｃに入れて水平を保つ。こうして奥から順に詰めていき、列が一杯になったところで同列の上仕切り棒４ａを水平にする。短い支柱、ブラケット、ジャッキなどの短寸物を昇降させるときは、図７に示すように上仕切り棒４ａを垂らしたままで短寸物を載せた列の下仕切り棒４ｂ及び下遮断棹３ｂを水平に保つ。工具などの小物を昇降させるときは、保護板１５ａ、１５ｂを取り付ける。床部材５上が満杯になるか又は昇降させる資材が途切れた時点で手前の上遮断棹３ａ及び下遮断棹３ｂを閉じる。この状態でウィンチのワイヤーを巻き上げることにより、保持された資材が担架１とともに上げられる。ボックス２が軽いので、既製のウィンチの動力だけで上げることができる。
【００３２】
担架１によれば、各列とも左右方向は資材で満たされ、前面及び後面は上下の遮断棹３ａ、３ｂで閉じられ、前後方向は列ごとに上下の仕切り棒４ａ、４ｂが介在しているので、昇降中に資材が倒れることはもちろん大きく傾くこともない。また、小物は、壁部材８、９と保護板１５ａ、１５ｂで四方を囲まれているので、床部材５から滑り落ちることはない。従って、昇降中、全体の重心が安定し、安全である。しかも、使用に際しては床部材５の面積に相当する平面積の空間があれば足りるので、狭い現場でも昇降させることができる。特に本実施形態ではボックス２の幅が５３ｃｍであるから、足場の外側に担架１を昇降させる空間が無い所でも、踏板を一列外すことにより、その位置で担架１を昇降させることができる。また、資材を担架１から降ろすときは、遮断棹３ａを開けて前面から取り出してもよいし、遮断棹３ｂを開けて後面から取り出してもよい。
【００３３】
仕切り棒４ａ、４ｂは、いずれも同じ壁部材８に片持ちされているが、昇降中の担架１の重心ができるだけ幾何学的中心と一致するようにするため、仕切り棒４ａは壁部材８に片持ちされ、仕切り棒４ｂは壁部材９に片持ちされるようにするとよい。吊り輪７ａは、図面が煩雑になるのを避けるために、縦枠６から離れた位置に取り付けられている。しかし、担架１の上昇時に担架１が横揺れしたとしても設置済みの手すりなどが吊り輪７ａと縦枠６との間に引っかかるのを防ぐため、できるだけ縦枠６に密接して取り付けられるのが望ましく、吊り輪７ａを無くしてワイヤーＷを縦枠６に直結しても良い。遮断棹３ａ、３ｂは、隣り合う縦枠６に両持ちされて水平を維持しながら上下にスライドするものであってもよい。
【符号の説明】
【００３４】
１  足場資材昇降用担架
２  ボックス
３ａ、３ｂ  遮断棹
４ａ、４ｂ  仕切り棒
５  床部材
６  縦枠
７  横枠
７ａ  吊り輪
８、９  壁部材
８ａ  ガイド
８ｂ、８ｄ  軸受け
９ａ、９ｂ  桟
９ｃ、９ｄ  凹部
１１ａ、１１ｂ  ストッパー
１３ａ、１４ａ  バンド
１３ｂ、１４ｂ  鉤
１５ａ、１５ｂ  保護板
Ｗ  ワイヤ
【図１】
2018096160.tif 000003
【図２】
2018096160.tif 000004
【図３】
2018096160.tif 000005
【図４】
2018096160.tif 000006
【図５】
2018096160.tif 000007
【図６】
2018096160.tif 000008
【図７】
2018096160.tif 000009